(57)【要約】【目的】落下衝撃後における振動周波数の変化を防止した表面実装振動子を提供する。【構成】両主面に励振電極を有して前記励振電極から外周部に一対の引出電極の延出した水晶片と、前記水晶片の引出電極と電気的・機械的に接続する一対の水晶端子を内底面に有する容器本体とからなる表面実装用の水晶振動子において、前記容器本体の内底面に前記水晶片の励振電極と対面する導通電極を形成し、前記容器本体の内底面側となる前記水晶片の励振電極と前記導通電極とを電気的に接続した構成とする。前記導通電極は複数に分割されて共通接続する。前記引出電極は前記水晶片の一端部両側に延出する。【選択図】図１
2004146952.tif 000002
【特許請求の範囲】
【請求項１】
両主面に励振電極を有して前記励振電極から外周部に一対の引出電極の延出した水晶片と、前記水晶片の引出電極と電気的・機械的に接続する一対の水晶端子を内底面に有する容器本体とからなる表面実装用の水晶振動子において、前記容器本体の内底面に前記水晶片の励振電極と対面する導通電極を形成し、前記容器本体の内底面側となる前記水晶片の励振電極と前記導通電極とを電気的に接続したことを特徴とする水晶振動子。
【請求項２】
前記導通電極は複数に分割されて共通接続した請求項１の水晶振動子。
【請求項３】
前記引出電極は前記水晶片の一端部両側に延出した請求項１の水晶振動子。
【発明の詳細な説明】
【０００１】
【発明の属する技術分野】
本発明は表面実装用の水晶振動子（以下、表面実装振動子とする）を産業上の技術分野とし、特に周波数変化を防止した表面実装振動子に関する。
【０００２】
【従来の技術】
（発明の背景）表面実装振動子は小型・軽量であることから、特に携帯機器の周波数や時間の基準源として適用される。近年では、特に通信機器に周波数源として使用される表面実装振動子は、周波数偏差の規格も厳しく、一層の安定度が求められている。
【０００３】
（従来技術の一例）第３図は一従来例を説明する図で、同図（ａ）は表面実装振動子の断面図、同図（ｂ）は容器本体の平面図、同図（ｃ）は水晶片２の平面図である。
水晶振動子は容器本体１に水晶片２を収容し、カバー３を被せて水晶片２を密閉封入する。容器本体１は凹状として積層セラミックからなり、内底面の一端側に一対の水晶端子４（ａｂ）を有する。一対の水晶端子４（ａｂ）は対角方向に設けられた外表面の実装端子５に積層面を経て導電路６によって接続する。
【０００４】
水晶片２はＡＴカットとし、対向する励振電極７（ａｂ）を両主面に有する。各励振電極７（ａｂ）からは一対の引出電極８（ａｂ）が外周部の一端部両側に延出する。そして、引出電極８（ａｂ）の延出した一端部両側が、導電性接着剤９によって一対の水晶端子４（ａｂ）と電気的・機械的に接続する。そして、携帯電話等のセット基板１０に表面実装される。
【０００５】
【発明が解決しようとする課題】
（従来技術の問題点）しかしながら、上記構成の水晶振動子では例えば落下衝撃後に振動周波数の変化する問題があった。すなわち、落下衝撃によって一端部両側の導電性接着剤９による保持状態が変化し、例えば水晶片２が傾斜して容器本体１の内底面と水晶片２との間隙ｄが実質的に変化する。そして、水晶片２における内底面側の励振電極７ｂとセット基板１０との間の静電容量Ｃ０も変化するので、振動周波数が変化する。
【０００６】
（発明の目的）本発明は振動周波数の変化を防止した表面実装振動子を提供することを目的とする。
【０００７】
【課題を解決するための手段】
本発明の請求項１は、水晶片を収容する容器本体の内底面に励振電極と対面する導通極を形成し、容器本体の内底面側となる水晶片の励振電極と導通電極１１とを電気的に接続したことを基本的な解決手段とする。
【０００８】
これにより、容器本体の内底面側となる水晶片の励振電極と導通電極とを同電位にするので、水晶片と内底面との間隙が変化しても両者間には静電容量は生じない。したがって、落下衝撃があっても振動周波数を一定に維持する。
【０００９】
本発明の請求項２は導通電極を分割電極として共通接続する。これにより、導通電極と容器本体との膨張係数差による例えば焼成時の反りを防止する。
【００１０】
また、請求項３は水晶片の一端部両側に引出電極を延出するので、一端部両側を保持した際の他端側の遥動による導電性接着剤への影響が大きくなる。したがって、この場合の効果は両端部を保持した場合よりも大きい。以下、本発明の一実施例を説明する。
【００１１】
【第１実施例】
第１図は本発明の第１実施例を説明する図で、同図（ａ）は表面実装振動子の断面図、同図（ｂ）は容器本体の平面図である。なお、前従来例と同一部分には同番号を付与してその説明は簡略又は省略する。
水晶振動子は前述したように水晶端子４（ａｂ）及び実装端子５を有する容器本体１に、両主面に励振電極７（ａｂ）を一端部両側に引出電極８（ａｂ）を延出した水晶片２を収容して密閉封入する。
【００１２】
そして、この実施例では、容器本体１の内底面に励振電極７ｂと対面した導通電極１１を形成する。導通電極１１は内底面側の励振電極７ｂから延出した引出電極８ｂと接続する水晶端子４ｂに電気的に接続する。そして、導電路６を経て実装端子５ｂに接続する。
【００１３】
このような構成であれば、内底面側の励振電極７ｂと導通電極１１は同電位になる。したがって、落下衝撃後に内底面と水晶片２との間隙ｄ１が変化したとしても両者間に静電容量Ｃ１は発生しない。また、導通電極１１とセット基板１０との間隙ｄ２は一定に維持されるので、この間の静電容量Ｃ２は変化しない。
【００１４】
これらにより、落下衝撃によって内底面と水晶片２との実質的な間隙ｄ１が変化しても静電容量は一定値Ｃ２を維持して、振動周波数の変化を防止して安定にする。
【００１５】
【第２実施例】
第２図は本発明の第２実施例を説明する表面実装振動子、特に容器本体の平面図である。なお、前第１実施例と同一部分の説明は省略又は簡略する。
前第１実施例では導通電極１１を内底面に連続的に形成する。通常では、例えばＷ（タングテン）を印刷塗布してセラミック生地とともに一体的に焼成する。このため、導通電極１１とセラミックとの膨張係数差によって、焼成時に歪みによる反りを生じる。
【００１６】
第２実施例ではこの問題を解決するため、導通電極１１を分割して共通接続例えば格子状に形成する。このようにすれば、膨張係数差による歪みを無電極部分が吸収して反りを防止する。そして、格子状とするので全面的に同電位面として、水晶片２と内底面との間隙ｄ１が変化しても、セット基板１０との間の電界を遮蔽して静電容量Ｃ０の発生を防止する。したがって、振動周波数を一定に維持する。
【００１７】
【他の事項】
上記実施例では水晶片２の一端部両側に引出電極８（ａｂ）を延出して保持したが、両端部に延出して両端部を保持したとしても落下衝撃等によって保持状態が変化して実質的な内底面との間隙が変化するので、その効果を期待できる。
【００１８】
また、第２実施例では導通電極１１を格子状として分割したが、これ以外にも網目状や２分割としてもよく、要は複数に分割されて共通接続されればよい。
【００１９】
【発明の効果】
本発明は、水晶片を収容する容器本体の内底面に励振電極と対面する導通電極を形成し、容器本体の内底面側となる水晶片の励振電極と導通電極とを電気的に接続したので、水晶片と内底面との間隙が変化しても両者間には静電容量は生じないので、落下衝撃があっても振動周波数を一定に維持する。
【図面の簡単な説明】
【図１】本発明の第１実施例を説明する図で、同図（ａ）は表面実装振動子の断面図、同図（ｂ）は容器本体の平面図である。
【図２】本発明の第２実施例を説明する表面実装振動子、特に容器本体の平面図である。
【図３】一従来例を説明する図で、同図（ａ）は表面実装振動子の断面図、同図（ｂ）は容器本体の平面図、同図（ｃ）は水晶片の平面図である。
【符号の説明】
１　容器本体、２　水晶片、３　カバー、４　水晶端子、５　実装端子、６　導電路、７　励振電極、８　引出電極、９　導電性接着剤、１０　セット基板、１１　導通電極。
【図１】
2004146952.tif 000003
【図２】
2004146952.tif 000004
【図３】
2004146952.tif 000005